(57)【特許請求の範囲】
【請求項１】
上部体と、下部体が重畳する閉状態と、両者が一端側が離れた開状態とに切り替え可能な携帯電話機において、
開状態から閉状態に移行し、その移行時からキー操作などによる入力操作がなされずに閉状態が所定時間継続した場合に、ロックフラグをセットし、
ロックフラグがセットされている状態において、閉状態から開状態に移行した場合に、電話機の機能をロック状態とする携帯電話機。
【請求項２】
上部体と、下部体が重畳する閉状態と、両者の一端側が離れた開状態とに切り替え可能な携帯電話機において、
閉状態から開状態に移行し、その移行時からキー操作などによる入力操作がなされずに開状態が所定時間継続した場合に、ロックフラグをセットし、
ロックフラグがセットされている状態において、開状態から閉状態に移行した場合に、電話機の機能をロック状態とする携帯電話機。
【発明の詳細な説明】
【０００１】
【発明の属する技術分野】
上部体と、下部体が重畳する閉状態と、両者がずれた開状態とに切り替え可能な携帯電話機に関する。
【０００２】
【従来の技術】
従来より、携帯電話機において、ダイヤルロック機能と呼ばれる機能を有するものが知られている。このダイヤルロック機能は、暗証番号などの入力がされなければ、着信時以外の操作を無効にする機能である。このダイヤルロック機能により、携帯電話機を置き忘れた場合などに、他人による使用を制限することができる。
【０００３】
例えば、特許文献１においては、折り畳み式携帯電話機におけるダイヤルロック機能について記載されている。この装置においては、携帯電話機が開閉状態が変更されたときに、またはいずれか一方の変更があったときにダイヤルロック機能をセットする。これによって、置き忘れた場合に、それを拾得した他人による使用を確実に防止することができる。
【０００４】
また、特許文献２においては、フリップ付き電話機であって、フリップを閉じたときにもキー操作を可能とする携帯電話機において、フリップを閉じて所定時間を経過したときには、キーロック機能をオンとすることが記載されている。これによって、フリップを閉じた状態において、かばんなどに入れて持ち歩く際などにおいてキーが誤って操作されることを防止することができる。
【０００５】
【特許文献１】
特開２００１−３２０４７４号公報
【特許文献２】
特開２００１−２８５４４２号公報
【０００６】
【発明が解決しようとする課題】
上記特許文献１によれば、携帯電話機の開閉の少なくとも一方があったときには、必ずダイヤルロックをオンする。これによって、ダイヤルロックの設定を確実に行うことができるが、すぐにオンになりすぎると感じる場合も多い。すなわち、電話をかけた相手が話し中でつながらず、少し時間をおいてから再び電話しようとする場合、一旦携帯電話機を閉じるとダイヤルロックがかかってしまう。従って、この場合には、再度暗証番号などを入力しなければならない。また、省消費電力のために、携帯電話機をすぐに閉じるユーザも多く、このような場合に毎回暗証番号を入力しなければならないのでは操作性が悪い。携帯電話機を閉じなければよいのであるが、ダイヤルロックをセットしないために折り畳まない状態でおくというのも不便である。
【０００７】
また、特許文献２は、フリップを閉じて所定時間経過したときには、必ずキーロックとなってしまう。従って、上述の特許文献１の場合と同様に、もう一度使いたいとき等に不便である。
【０００８】
本発明は、機能のロックをより効率的に行える携帯電話機を提供することを目的とする。
【０００９】
【課題を解決するための手段】
本発明は、上部体と、下部体が重畳する閉状態と、両者の一端側が離れた開状態とに切り替え可能な携帯電話機において、開状態から閉状態に移行し、その移行時からキー操作などによる入力操作がなされずに閉状態が所定時間継続した場合に、ロックフラグをセットし、ロックフラグがセットされている状態において、閉状態から開状態に移行した場合に、電話機の機能をロック状態とすることを特徴とする。
【００１０】
また、本発明は、上部体と、下部体が重畳する閉状態と、両者の一端側が離れた開状態とに切り替え可能な携帯電話機において、閉状態から開状態に移行し、その移行時からキー操作などによる入力操作がなされずに開状態が所定時間継続した場合に、ロックフラグをセットし、ロックフラグがセットされている状態において、開状態から閉状態に移行した場合に、電話機の機能をロック状態とすることを特徴とする。
【００１１】
このように、本発明では、所定時間操作がなされないときに、ロックフラグをセットし、その後の開閉操作に応じて、電話機の機能をロックする。従って、すぐにロック状態になるわけではなく、開閉操作をしなければ、通常の使用を継続できる。
【００１２】
【発明の実施の形態】
以下、本発明の実施形態について、図面に基づいて説明する。
【００１３】
図１は、実施形態に係る携帯電話機の外観の概略を示す模式図である。上部体１０には、ディスプレイ１２が設けられており、ここに各種の表示がなされる。下部体１４には、キーパット１６が設けられており、このキーパット１６によって各種の入力が可能になっている。また、通常の通話のために、上部体１０には、スピーカ１８が設けられ、下部体１４には、マイクロフォン２０が設けられている。
【００１４】
そして、上部体１０と下部体１４は、ヒンジ部２２によって、折り畳み可能に接続されている。すなわち、ヒンジ部２２を中心として、図における手前側に回転させることによって、上部体１０と、下部体１４とが、ディスプレイ１２と、キーパット１６が対面する形で重畳する形に折り畳まれる。また、図のように開いた形で、通常の使用がなされる。なお、図においては、上部体１０と下部体１４が平面になるまで開いているように書いてあるが、上部体１０と下部体のなす角が１６０度など１８０度より手前の角度でロックされることも好ましい。すなわち、上部体１０と、下部体１４とのなす角がほぼ０度で折り畳み状態（閉状態）、１８０度程度で操作状態（開状態）となる。
【００１５】
図２には、実施形態に係る携帯電話機の回路構成のブロック図を示す。ディスプレイ１２、キーパット１６は、本体制御部３０に接続されており、この本体制御部３０には、通話制御部３２が接続されている。この通話制御部３２によって、外部との通信が行われる。すなわち、発信、着信、通話、データ通信などのための処理を行う。
【００１６】
そして、この本体制御部３０には、ダイヤルロック制御部３４が接続されており、このダイヤルロック制御部３４には、開閉検出装置３６およびタイマ３８が接続されている。この開閉検出装置３６は、上部体１０と、下部体１４とが開状態か閉状態かを検出するものであり、各種の形式のものが採用できる。例えば、機械、磁気、または光学スイッチにより、開閉を検出することができ、これらスイッチはヒンジ部２２に設けることもできるし、他の部分に設けることもできる。さらに、閉状態においてロック機構を設ける場合には、このロック状態を検出するようにしてもよい。なお、通常の場合、折り畳んだ状態、すなわち上部体１０と、下部体１４のなす角がほぼ０度の場合の閉状態を検出し、これが検出できない場合には開状態と判定する形式のものが好適である。
【００１７】
そして、ダイヤルロック制御部３４は、開閉検出装置３６の検出結果から携帯電話機の開閉状態を検出し、これに応じて、ダイヤルロックのオンオフを決定し、この決定信号を本体制御部３０に供給する。本体制御部３０は、ダイヤルロックのオンの場合には、着信以外の動作を禁止するダイヤルロック状態とし、ユーザの暗証番号の入力待ち状態とする。すなわち、ダイヤルロック状態では、ユーザから暗証番号の入力がなければ、着信以外の利用は禁止される。
【００１８】
また、タイマ３８は、ダイヤルロック制御部３４において、ダイヤルロックフラグのオンオフを決定する際に、利用するものである。
【００１９】
次に、ダイヤルロック制御部３４におけるダイヤルロックの制御動作について説明する。
【００２０】
まず、携帯電話機が開状態から閉状態、および閉状態から開状態に移行する場合における処理について、図３に基づいて説明する。なお、本実施形態の電話機は、開いた状態でなければ、通話できないタイプのものを前提としている。
【００２１】
まず、開閉検出装置３６からの信号に応じて、携帯電話機について開閉の操作があったかを判定し（Ｓ１１）、この判定で、ＹＥＳであれば、ダイヤルロック中かを判定する（Ｓ１２）。この判定で、ＹＥＳであれば、ダイヤルロックをそのまま継続すればよいため、処理を終了する。
【００２２】
Ｓ１２の判定でＮＯであれば、タイマ利用による機能設定がオンであるかを判定する（Ｓ１３）。これは、タイマ付きのダイヤルロックの機能をオンオフできるからである。すなわち、所定のメニュー画面からダイヤルロック機能設定を選択し、タイマ付きダイヤルロック機能をオフすることで、ダイヤルロックは、従来通り行われる。また、ダイヤルロック機能自体をオフすることもでき、この場合にも、Ｓ１３の判定はＮＯとなる。タイマ付きのダイヤルロック機能がオフであれば、Ｓ１３の判定でＮＯとなりこの処理を終了する。
【００２３】
Ｓ１３の判定でタイマ付きのダイヤルロック機能がオンであれば、ダイヤルロックフラグがオフか否か判定する（Ｓ１４）。このＳ１４において、ＹＥＳであれば、タイマ３８によるカウントを開始する（Ｓ１５）。この場合、カウント値があればこれをクリアして最初からカウントを開始する。
【００２４】
次に、電話機がいずれかのキーの操作があるかを判定する（Ｓ１６）。このＳ１６の判定で、ＹＥＳであれば、ユーザによる操作があったので、Ｓ１５のタイマカウントの開始に戻る。従って、ユーザによる操作があれば、タイマはリセットされる。
【００２５】
キー操作がなく、Ｓ１６の判定でＮＯの場合には、開閉があったかを判定する（Ｓ１７）。開閉があった場合には、Ｓ１５に戻る。一方、Ｓ１７の判定でＮＯの場合には、着信中かを判定する（Ｓ１８）。着信中である場合には、次に着信終了かを判定し（Ｓ１９）、着信終了でなかった場合には、通話状態か否かを判定する（Ｓ２０）。通話状態であれば、通話終了かを判定し（Ｓ２１）、通話が終了し、終話処理が行われた後、Ｓ１５に戻る。
【００２６】
一方、Ｓ１９の判定において、ＮＯであり、かつＳ２０の判定で通話状態でなければ（ＮＯ）、着信終了かの判定Ｓ１９に戻る。そして、Ｓ１９の判定で、着信終了であれば、通話なしに着信処理が終了したのであり、ユーザによる操作はない。そこで、着信があったことは無視できる。このため、Ｓ１８の判定でＮＯおよびＳ１９の判定でＹＥＳの場合には、設定タイマ値がタイムアウトしたか（設定時間が経過したか）を判定する（Ｓ２１）。このＳ２１の判定でＮＯであれば、Ｓ１６に戻る。そして、設定時間が経過して、Ｓ２１の判定でオンとなった場合に、ダイヤルロックフラグが設定される（Ｓ２２）。
【００２７】
このようにして、外部キーや開閉の操作がなく、かつ着信応答もなければ、設定時間経過したときにダイヤルロックフラグがオンされる。一方、キー操作や開閉操作など何らかの操作を行っていれば、タイマはリセットされるため、ダイヤルロックフラグがセットされることはない。
【００２８】
なお、待ち受け画面の時にのみタイマのカウントを開始するようにすることも好適である。すなわち、各種の処理を行った後、所定時間を経過した場合には、待ち受け画面に移行、または表示はされなくても待ち受け画面と同様の状態となる。待ち受け画面でない場合に、操作がされない状態が続いた場合には、待ち受け画面に移行した後の経過時間を計測し、それが所定以上となった場合に、ダイヤルロックフラグをセットすることが好ましい。
【００２９】
なお、ダイヤルロックフラグは、ダイヤルロック制御部３４内のメモリに設けられている。
【００３０】
また、Ｓ１４の判定において、ＮＯであれば、ダイヤルロックの設定を行い（Ｓ２３）、ダイヤルロックフラグをオフする（Ｓ２４）。すなわち、ダイヤルロックフラグがセットされている状態は、上述のように所定期間ユーザによる操作がなかった場合であり、ダイヤルロックフラグがオンの状態で、開閉操作がなされると、ダイヤルロックされる。
【００３１】
このようにして、ダイヤルロックが設定された場合には、従来と同様に着信処理のみが可能となり、着信後の通話が終了した場合には、ダイヤルロック状態に戻る。また、何らかの操作がなされた場合には、暗証番号の入力待ちとなり、正しい暗証番号が入力されたときに、ダイヤルロックが解除される。
【００３２】
一方、ダイヤルロックフラグがオンであっても、開閉操作がなされなければ、引き続き使用することができる。そこで、ユーザは、開状態にしておけば、引き続き通常の使用が継続できる。かけ直しの予定があるときなどに便利である。
【００３３】
次に、着信があった場合の処理について、図４に基づいて説明する。
【００３４】
まず、着信かを判定し（Ｓ３１）、着信中であれば、ダイヤルロックフラグがオンかを判定する（Ｓ３２）。Ｓ３２の判定において、ＹＥＳであれば、ダイヤルロック中か否かを判定し（Ｓ３３）、ロック中でなければダイヤルロックフラグを利用したダイヤルロック機能がオンかを判定する（Ｓ３４）。Ｓ３２の判定でＮＯ、Ｓ３３の判定でＹＥＳ、Ｓ３４の判定でＮＯであれば、処理を終了する。
【００３５】
Ｓ３４の判定でＹＥＳであれば、着信終了かを判定し（Ｓ３５）、ＮＯであれば通話状態かを判定する（Ｓ３６）。そして、Ｓ３６の判定でＮＯの場合には、Ｓ３５に戻る。着信に対して応答しなかった場合には、Ｓ３５の判定においてＹＥＳとなり、応答は行われなかったことになる。そこで、ダイヤルロックフラグをそのままオンの状態にして処理を終了する。すなわち、この場合、ユーザが着信に対する応答をしなかったのであり、置き忘れなどの可能性が高い。そこで、ダイヤルロックフラグはそのままにする。なお、この場合にダイヤルロックをセットし、ダイヤルロックフラグをオフにしてもよい。
【００３６】
一方、Ｓ３６において、ＹＥＳとなった場合、次に通話終了かを判定し（Ｓ３７）、通話が終了した場合には、通話後ダイヤルロックに設定する機能がオンか否かを判定する（Ｓ３８）。そして、この機能がオフであれば、通話が終了した場合に、ダイヤルロックフラグをオフする（Ｓ３９）。そして、図３のＳ１５のタイマカウント開始に移行する。従って、着信に対して応答した場合には、ダイヤルロックフラグがオフされ、その後ユーザの操作が所定時間なかったときに、ダイヤルロックフラグがセットされることになる。これは、実際に通話が行われた場合には、正規のユーザが利用した確率が高いからである。
【００３７】
一方、Ｓ３８の判定において、ＹＥＳであれば、ダイヤルロックの設定をし（Ｓ４０）、ダイヤルロックフラグをオフして（Ｓ４１）、処理を終了する。このように、ダイヤルロックを実行することで、呼び出しに対する応答、通話があった場合にもその通話終了後にダイヤルロックを行うことができ、セキュリティー性を向上できる。
【００３８】
特に、本実施形態では、終話後にダイヤルロックを行うか否かを設定できるようにしているため、使い勝手の良さ、または高いセキュリティー性のいずれかをユーザが選択することができ、ユーザの好みにあった携帯電話機を提供できる。
【００３９】
ここで、上述の処理では、携帯電話機が開状態で、ダイヤルロックフラグがオンとなるが、その後に携帯電話機が閉じられなければ、ダイヤルロックは設定されず使用が継続できる。
【００４０】
通常は、携帯電話機について、通常は開閉操作がなされないまま悪用されることは考えられないが、このような場合の悪用を防止するためには、図５に示されるように、開操作の場合には、ダイヤルフラグをセットするのではなく、所定時間経過後にダイヤルロックを設定することもできる。
【００４１】
すなわち、図３の処理では、Ｓ２１においてタイムアウトした場合には、ダイヤルロックフラグをオンした（Ｓ２２）が、図５の処理では、Ｓ２１においてタイムアウトした場合に、開状態か否かを判定する（Ｓ２５）。そして、この判定で、開状態であった場合には、ダイヤルロックフラグをオンするのではなく、ダイヤルロックを設定する（Ｓ２６）。これによって、開状態で操作がない場合には、ダイヤルロックが設定されることになり、開いたままの状態で、悪用されることがなくなる。
【００４２】
なお、図３の処理と、図５の処理は、ユーザの選択によって、いずれかを選択できるようにすることが好ましい。
【００４３】
また、上述の実施形態では、携帯電話機は折り畳み式としたが、スライド式やフリップを有するものにも同様に適用できる。
【００４４】
以上のように、本実施形態によれば、タイマを有しており、所定期間操作がないときにのみ、ダイヤルロックが設定される。そこで、電話をかけた相手が話し中でつながらず、少し時間をおいてから再び電話しようとする場合や、一旦携帯電話機を閉じてすぐに電話しようと思うときなどにダイヤルロックされることがなく、使い勝手を向上することができる。
【００４５】
【発明の効果】
以上説明したように、本発明によれば、所定時間操作がなされないときに、ロックフラグをセットし、その後の開閉操作に応じて、電話機の機能をロックする。従って、すぐにロック状態になるわけではなく、開閉操作をしなければ、通常の使用を継続できる。
【図面の簡単な説明】
【図１】  実施形態に係る携帯電話機の外観を示す図である。
【図２】  実施形態に係る携帯電話機の機能ブロック図である。
【図３】  開閉時の動作を示すフローチャートである。
【図４】  着信時の動作を示すフローチャートである。
【図５】  開閉時の他の動作を示すフローチャートである。
【符号の説明】
１０  上部体、１２  ディスプレイ、１４  下部体、１６  キーパット、１８スピーカ、２０  マイクロフォン、２２  ヒンジ部、３０  本体制御部、３２通話制御部、３４  ダイヤルロック制御部、３６  開閉検出装置、３８  タイマ。
【図１】
0003703458.tif 000002
【図２】
0003703458.tif 000003
【図３】
0003703458.tif 000004
【図４】
0003703458.tif 000005
【図５】
0003703458.tif 000006